(57)【要約】【課題】構成部品点数を徒に増加させることなく脚軸とロック体との噛み合わせを外部からの操作によって強制的に解除できるようにする。【解決手段】昇降体はベース２０に上端部を回動可能に組み付けさせると共に、下端部の前面側に脚軸１の雄ねじ部１２に噛み合う雌ねじ状部２１２ａを有したロック体２１とを有している。ベース２０はロック体２１の雌ねじ状部２１２ａを通し抜け穴２０２に差し通される脚軸１の外周面に押しつける弾性片２０８を一体に備えている。ベース２０に、操作部２２１を利用した解除操作によって弾性片２０８の押し付けに抗してロック体２１の下端部を後退移動させるようにこのロック体２１に突き当たり部２２２を突き当てさせる解除位置に移動される解除体２２が備えられている。【選択図】図７
2006064133.tif 000002
【特許請求の範囲】
【請求項１】
支持対象物を高さ調整可能に支持する脚装置であって、
下端部に接地部を有した雄ねじ状をなす脚軸と、この脚軸に昇降可能に支持される昇降体とを備えており、
この昇降体は、
支持対象物への固定部を備えると共に、脚軸の通し抜け穴を備えたベースと、
このベースに上端部を回動可能に組み付けさせると共に、下端部の前面側に脚軸の雄ねじ部に噛み合う雌ねじ状部を有したロック体とを有しており、
前記ベースが、ロック体の雌ねじ状部を前記通し抜け穴に差し通される脚軸の外周面に押しつけるように、このロック体の背面側に接する弾性片を一体に備えていると共に、
ベースに、このベースの側部から外方に突き出された操作部とベース内に位置される突き当たり部とを有していると共に、この操作部を利用した解除操作によって弾性片の押し付けに抗してロック体の下端部を後退移動させるようにこのロック体に突き当たり部を突き当てさせる解除位置に移動される解除体が備えられていることを特徴とする脚装置。
【請求項２】
解除体の解除操作による解除体の解除位置への移動を、この移動によって弾性変形しながら許容するこの解除体の押し戻し手段を有していることを特徴とする請求項１記載の脚装置。
【請求項３】
ベース内において脚軸を挟んだ一方側からロック体がこの脚軸にその下端部を押し付けるようになっていると共に、
解除体がこの脚軸を挟んだ他方側から一方側に向けたスライド移動可能にベースに組み合わされて解除位置においてその突き当たり部をロック体に突き当てさせるスライダ体として構成されていることを特徴とする請求項１又は請求項２記載の脚装置。
【請求項４】
解除体が、ベースに回動軸をもって回動可能に組み合わされると共に、この回動軸を挟んだ一方側に操作部を他方側に突き当たり部を有し、操作部を持ち上げる解除操作によって解除位置においてその突き当たり部をロック体に上方から突き当てさせる回動体として構成されていることを特徴とする請求項１又は請求項２記載の脚装置。
【請求項５】
ベース内において脚軸を挟んだ一方側からロック体がこの脚軸にその下端部を押し付けるようになっていると共に、
このベースに、
この脚軸を挟んだ他方側から一方側に向けたスライド移動可能にベースに組み合わされて解除位置においてその突き当たり部をロック体に突き当てさせるスライダ体として構成されている解除体のスライド移動を案内する案内部と、
このベースに回動軸をもって回動可能に組み合わされると共に、この回動軸を挟んだ一方側に操作部を他方側に突き当たり部を有し、操作部を持ち上げる解除操作によって解除位置においてその突き当たり部をロック体に上方から突き当てさせる回動体として構成されている解除体の回動軸の軸受穴とが備えられていることを特徴とする請求項１又は請求項２記載の脚装置。
【発明の詳細な説明】
【技術分野】
【０００１】
この発明は、各種の支持対象物に取り付けられてこの支持対象物の脚となると共に、かかる支持対象物を高さ調整可能に支持する機能を備えた脚装置の改良に関する。
【背景技術】
【０００２】
下端部に接地部を有した雄ねじ状をなす脚軸と、この脚軸に昇降可能に支持される昇降体とを備えており、
この昇降体を、支持対象物への固定部を備えると共に、脚軸の通し抜け穴を備えたベースと、
このベースに上端部を回動可能に組み付けさせると共に、下端部の前面側に脚軸の雄ねじ部に噛み合う雌ねじ状部を有したロック体とから構成すると共に、
かかるベースに、ロック体の雌ねじ状部を前記通し抜け穴に差し通される脚軸の外周面に押しつけるように、このロック体の背面側に接する弾性片を一体に備えさせて構成された脚装置として、本出願人が先に開示した特許文献１に示されるものがある。
【０００３】
かかる脚装置によれば、前記脚軸と、ベースと、ロック体との３パーツによって、支持対象物を高さ調整可能に支持することができる。
【０００４】
ここで、かかる脚装置において、脚軸とロック体との噛み合わせを外部からの操作によって強制的に解除可能にできれば、支持対象物の下面からの脚軸の突き出し量を容易に大幅調整でき、その使い勝手をより向上させることができる。
【特許文献１】特願２００４−１５８８６７号
【発明の開示】
【発明が解決しようとする課題】
【０００５】
この発明が解決しようとする主たる問題点は、この種の脚装置の構成部品点数を徒に増加させることなく、これを構成する脚軸とロック体との噛み合わせを外部からの操作によって強制的に解除できるようにして、支持対象物の下面からの脚軸の突き出し量を容易に大幅に調整可能とする点にある。
【課題を解決するための手段】
【０００６】
前記問題点を解決するために、この発明にあっては、脚装置を以下の（１）〜（５）の構成を備えたものとした。
（１）支持対象物を高さ調整可能に支持する脚装置であって、
（２）下端部に接地部を有した雄ねじ状をなす脚軸と、この脚軸に昇降可能に支持される昇降体とを備えており、
（３）この昇降体は、
支持対象物への固定部を備えると共に、脚軸の通し抜け穴を備えたベースと、
このベースに上端部を回動可能に組み付けさせると共に、下端部の前面側に脚軸の雄ねじ部に噛み合う雌ねじ状部を有したロック体とを有しており、
（４）前記ベースが、ロック体の雌ねじ状部を前記通し抜け穴に差し通される脚軸の外周面に押しつけるように、このロック体の背面側に接する弾性片を一体に備えていると共に、
（５）ベースに、このベースの側部から外方に突き出された操作部とベース内に位置される突き当たり部とを有していると共に、この操作部を利用した解除操作によって弾性片の押し付けに抗してロック体の下端部を後退移動させるようにこのロック体に突き当たり部を突き当てさせる解除位置に移動される解除体が備えられている。
【０００７】
かかる構成によれば、ロック体を弾性片を外向きに弾性変形させて後退させながら昇降体の通し抜け穴に脚軸を入れ込ませることにより、この入れ込み後の弾性片の弾性復帰によりロック体を前方に押し戻してこのロック体の雌ねじ状部を入れ込まされた脚軸の雄ねじ部に押しつけ噛み合わさせた脚装置を構成させることができる。支持対象物にベースの固定部によって取り付けられた脚装置は、脚軸を回転操作させることにより、昇降体の下面と脚軸の接地部との間の寸法を変え、これにより、支持対象物の高さの微調整が可能とされる。また、弾性片の押し付けにより脚軸の雄ねじ部に雌ねじ状部を噛み合わせたロック体のロック状態は、解除体の解除位置への移動操作によってこのロック体の下端部を後退移動させて、ワンタッチで解除することができる。そして、この解除によって、昇降体の下面からの脚軸の突き出し量を増減させる調整、つまり、支持対象物の高さを可変させる調整を大幅になすことができる。
【０００８】
脚装置に、前記解除体の解除操作による解除体の解除位置への移動を、この移動によって弾性変形しながら許容するこの解除体の押し戻し手段を備えさせておくこともある。
【０００９】
このようにした場合、解除体の解除操作を止めた場合には、かかる押し戻し手段の弾性復帰によって解除位置に移動された解除体をこの移動前の位置に速やかに復帰させることができる。そして、この解除体の復帰によって、弾性片によってロック体の下端部を再び前進移動させてこのロック体の雌ねじ状部を脚軸の雄ねじ部に噛み合わせることができる。すなわち、このようにしておけば、解除体の解除操作によって支持対象物の高さを大幅に可変させる調整をなした後、この高さが所望の高さになった位置でこの解除操作を止めることにより、この所望の高さに支持対象物を速やかに安定的に位置づけさせることができる。
【００１０】
前記ベース内において脚軸を挟んだ一方側からロック体がこの脚軸にその下端部を押し付けるようになっていると共に、
前記解除体を、この脚軸を挟んだ他方側から一方側に向けたスライド移動可能にベースに組み合わされて解除位置においてその突き当たり部をロック体に突き当てさせるスライダ体として構成させておくこともある。
【００１１】
このようにした場合、スライダ体を脚軸を挟んだ他方側から一方側に向けて操作部を利用してスライド移動させることにより、ロック体をワンタッチで後退移動させることができ、これにより、ロック体の雌ねじ状部と脚軸の雄ねじ部とのかみ合いを解かせて支持対象物の高さの大幅変更をなすことができる。
【００１２】
解除体を、ベースに回動軸をもって回動可能に組み合わされると共に、この回動軸を挟んだ一方側に操作部を他方側に突き当たり部を有し、操作部を持ち上げる解除操作によって解除位置においてその突き当たり部をロック体に上方から突き当てさせる回動体として構成させておくこともある。
【００１３】
このようにした場合、回動体を、その操作部を上方に持ち上げさせ、従って突き当たり部を下方に押し下げさせる回動操作させることにより、ロック体をワンタッチで後退移動させることができ、これにより、ロック体の雌ねじ状部と脚軸の雄ねじ部とのかみ合いを解かせて支持対象物の高さの大幅変更をなすことができる。
【００１４】
前記ベース内において脚軸を挟んだ一方側からロック体がこの脚軸にその下端部を押し付けるようになっていると共に、
このベースに、
この脚軸を挟んだ他方側から一方側に向けたスライド移動可能にベースに組み合わされて解除位置においてその突き当たり部をロック体に突き当てさせるスライダ体として構成されている解除体のスライド移動を案内する案内部と、
このベースに回動軸をもって回動可能に組み合わされると共に、この回動軸を挟んだ一方側に操作部を他方側に突き当たり部を有し、操作部を持ち上げる解除操作によって解除位置においてその突き当たり部をロック体に上方から突き当てさせる回動体として構成されている解除体の回動軸の軸受穴とを備えさせて置くこともある。
【００１５】
このようにした場合、かかるベースにスライダ体を組み付けることにより解除体をスライダ体とした脚装置を構成させることができると共に、かかるベースに回動体を組み付けることにより解除体を回動体とした脚装置を構成させることもできる。すなわち、ベースを共通部品としながら、解除体の構成を異ならせる二種類の脚装置をそれぞれ適切に構成させることができる。
【発明の効果】
【００１６】
この発明によれば、雄ねじ部を備えた脚軸と、昇降体を構成するベースと、昇降体を構成するロック体と、昇降体を構成する解除体との４パーツにより、支持対象物を高さ調整可能に支持すると共に、脚軸とロック体との噛み合わせを外部からの操作によって強制的に解除して支持対象物の高さを大幅に可変する調整も可能な脚装置を適切に構成することができる。
【発明を実施するための最良の形態】
【００１７】
以下、図１ないし図１９に基づいて、この発明を実施するための最良の形態について説明する。
【００１８】
なお、ここで図１ないし図４は、解除体の取り付け前の状態における脚装置をそれぞれ示している。
【００１９】
また、図５ないし図９は、スライダ体２２３として構成された解除体２２を備えて構成された脚装置をそれぞれ示している。また、図１０は、かかるスライダ体２２３をそれぞれ示している。
【００２０】
また、図１１ないし図１５は、回動体として構成された解除体２２を備えて構成された脚装置をそれぞれ示している。また、図１６および図１７は、かかる回動体２２４とロック体２１とを一緒に表して示しており、また、図１８は、かかる回動体２２４を、図１９は、かかるロック体２１をそれぞれ示している。
【００２１】
特に、図７および図１３は、解除体２２が解除位置に移動されてロック体２１が後退した様子を、また、図２、図３、図８および図１４は、昇降体２が最も下降した状態を示している。
【００２２】
この実施の形態にかかる脚装置は、各種の支持対象物Ｐに取り付けられてこの支持対象物Ｐの脚となると共に、かかる支持対象物Ｐを高さ調整（レベル調整）可能に支持する機能（アジャスター機能）を備えたものである。
【００２３】
具体的には、かかる脚装置は、例えば、いわゆる液晶プロジェクター、映写機、スライド映写機などの投影機の脚として、あるいはまた、三脚などの脚の下端部に取り付けられてこの脚の一部をなすものとして、用いることができる。この脚装置がかかる投影機に用いられる場合には、この投影機の投影レンズが設けられた前部側の下部に設けられてこの投影機の傾斜角を調整するように用いられ、これにより、この投影レンズから投影される映像がスクリーンなどに映し出される高さ位置を調整するように用いられる。
【００２４】
かかる脚装置は、脚軸１と昇降体２とを備えている。
【００２５】
脚軸１は、下端部に接地部１０を有した雄ねじ状をなすように構成されている。図示の例にあっては、かかる脚軸１は下端部に円盤状部１０１を有していると共に、この円盤状部１０１の下面にクッション材１０２を備えている。そして、このクッション材１０２を床面、地面、テーブル面などの接地面Ｇに接地させて、この接地面Ｇ上に支持対象物Ｐを支持させるようになっている。
【００２６】
また図示の例では、かかる脚軸１は、下端部側と上端部側とにそれぞれ無ねじ部１１を有していると共に、両無ねじ部１１、１１間に雄ねじ部１２を備えるように構成されている。この脚軸１の雄ねじ部１２には、前記昇降体２を構成する後述するロック体２１の雌ねじ状部２１２ａが噛み合わされ、前記円盤状部１０１を把持してなす脚軸１の回転操作によってこの昇降体２は上昇又は下降される。
【００２７】
また、図示の例にあっては、脚軸１の上端部に、前記昇降体２の後述するベース２０の通し抜け穴２０２への下方からのこの脚軸１の入れ込みに伴って、一旦弾性変形した後、この通し抜け穴２０２から上方に抜け出した位置において弾発してこの通し抜け穴２０２に掛合される弾性掛合片１３が形成されている。
【００２８】
図示の例にあっては、脚軸１は中空の筒状に構成されていると共に、この上端部の末端において溝端を外方に解放させて脚軸１の軸線方向に延びる二条の割溝１４、１４によってこれらの割溝１４、１４間に前記弾性掛合片１３を形成させている。かかる弾性掛合片１３は脚軸１の直径方向両側に形成されている。また、図示の例では、二つの弾性掛合片１３、１３のうちの一方が脚軸１の上端部の末端よりもより上方に突き出すようになっている。二つの弾性掛合片１３、１３の上端であってその外面部にはそれぞれ、突部１３１が形成されている。この突部１３１は脚軸１の下端部側に向いた掛合面１３２を有すると共に、頂部１３３を挟んだ上方側にこの頂部１３３に向かうに連れて次第に突部１３１の突き出し寸法を大きくする向きに傾斜した傾斜面１３４を有している。そして、二つの弾性掛合片１３、１３の突部１３１の頂部１３３間の寸法が、昇降体２の通し抜け穴２０２の穴径よりもやや大きくなるようにしてある。昇降体２と脚軸１とを前記のようにこの脚軸１を通し抜け穴２０２に入れ込ませて組み合わさせるにあたり、弾性掛合片１３は前記突部１３１の傾斜面１３４を通し抜け穴２０２の穴口縁に突き当ててスムースに弾性変形され、この通し抜け穴２０２から上方に抜け出した位置で弾性復帰して通し抜け穴２０２に前記掛合面１３２を掛合させる。
【００２９】
これにより、図示の例にあっては、昇降体２を取り付けた支持対象物Ｐを持ち上げるなどした場合などにおいて、昇降体２の通し抜け穴２０２から予期せず脚軸１が抜け落ちてしまうことがないようになっている。
【００３０】
また、図示の例にあっては、二つの弾性掛合片１３、１３の一方が他方よりも上方に長く延びており、二つの弾性掛合片１３、１３の突部１３１の頂部１３３の位置が上下に異なっていることから、通し抜け穴２０２への脚軸１の入れ込みにあたり、二つの弾性掛合片１３、１３の双方を同時に最大限内向きに弾性変形させることなくこの入れ込みをなすことができ、この入れ込みを容易に行えるようになっている。それと共に、図示の例にあっては、二つの弾性掛合片１３、１３のうちの他方の弾性掛合片１３（短い方）の突部１３１の掛合面１３２に昇降体２の通し抜け穴２０２の上側の穴口が突き当たった位置においては脚軸１の雄ねじ部１２にロック体２１の雌ねじ状部２１２ａが未だ噛み合うようにしてあると共に、これを越えて脚軸１の回転操作によって昇降体２が上昇されてロック体２１の雌ねじ状部２１２ａが前記無ねじ部１１の形成位置に位置された場合には、二つの弾性掛合片１３、１３のうちの一方の弾性掛合片１３（長い方）の突部１３１の掛合面１３２に昇降体２の通し抜け穴２０２の上側の穴口が突き当たるようにしてあり、昇降体２が上昇され切った位置においての昇降体２からの脚軸１の抜け出しを確実に阻止できるようになっている。
【００３１】
脚軸１を構成する前記円盤状部１０１の外周面には、この円盤状部１０１の肉厚方向に沿ったリブ１０３が、この周方向において隣り合うリブ１０３との間に間隔を開けて複数設けさせられており、この円盤状部１０１を把持などして脚軸１をより容易に回転操作することができるようになっている。
【００３２】
かかる脚軸１は、昇降体２の下降させればさせるほど、この昇降体２の上面からの突き出し寸法を大きくさせる。典型的には、支持対象物Ｐにおける昇降体２の取り付け箇所にはこのように突き出される脚軸１が納まる昇降体２の通し抜け穴２０２に連通した脚軸１の収容空間Ｐａが形成される。
【００３３】
一方、昇降体２は、前記脚軸１に昇降可能に支持されるようになっている。また、この昇降体２は、ベース２０とロック体２１と解除体２２とを備えている。
【００３４】
ベース２０は、支持対象物Ｐへの固定部２０１を備えると共に、脚軸１の通し抜け穴２０２を備えている。図示の例にあっては、かかるベース２０は、ほぼ方形の板状をなす上板部２０３と下板部２０４とを有すると共に、この上板部２０３の三つの辺部と下板部２０４の三つの辺部との間に、側板部２０５をそれぞれ有しており、一つの側部を開放部２０６としたボックス状をなすように構成されている。そして、図示の例にあっては、上板部２０３における開放部２０６の形成側側に偏った位置と、下板部２０４における開放部２０６側に偏った位置とにそれぞれ、前記脚軸１の通し抜け穴２０２が貫通状態に形成してある。
【００３５】
ロック体２１は、前記ベース２０に上端部（図示の例では、後述する板状アーム部２１１の上端部）を回動可能に組み付けさせていると共に、下端部の前面（図示の例では、後述するブロック部２１２の前面２１２ｃ）側に脚軸１の雄ねじ部１２に噛み合う雌ねじ状部２１２ａを有している。
【００３６】
図示の例では、かかるロック体２１は、横板部分２１１ａとこの横板部分２１１ａの後方側の上部から斜め上方に延びる斜上板部分２１１ｂとよりなる板面を垂直方向に配させた一対の板状アーム部２１１、２１１と、
この一対の板状アーム部２１１、２１１の横板部分２１１ａの間に亘るように形成されたブロック部２１２とを一体に有している。
【００３７】
ブロック部２１２の前面は、板状アーム部２１１の横板部分２１１ａの前端よりもやや後方に位置されるようになっている。そして、このブロック部２１２の前面２１２ｃに、前記雌ねじ状部２１２ａが形成されている。かかる雌ねじ状部２１２ａは、脚軸１の雄ねじ部１２に噛み合う一条又は複数状の突起を前記ブロック部２１２の前面２１２ｃに形成することで構成することができるが、図示の例では、かかる雌ねじ状部２１２ａは、脚軸１の雄ねじ部１２に噛み合う形状を持った仮想の雌ねじの一部２１２ｂを、前記ブロック部２１２の前面２１２ｃに形成させることにより構成されている。
【００３８】
また、ブロック部２１２の背面２１２ｄであって、その上縁部のほぼ中程位置には、後方に突き出す接触突部２１２ｅが形成されている。そして、この接触突部２１２ｅが、ベース２０における開放部２０６に対抗した位置にある側板部２０５に形成された後述する弾性片２０８に接するようになっている。（以下、ベース２０の三つの側板部２０５のうち、この弾性片２０８が設けられている側板部２０５を背側側板部２０５ａという。）
【００３９】
また、前記一対の板状アーム部２１１、２１１の斜上板部分２１１ｂの上端であって、その外面には、この外面から側方に突き出す太径円柱体２１３ａと、この太径円柱体２１３ａの突き出し端面からさらに側方に突き出す細径円柱体２１３ｂとからなる軸部２１３が形成されている。一対の板状アーム部２１１、２１１の細径円柱体２１３ｂの突き出し端面間のピッチは、ベース２０の背側側板部２０５ａに隣り合う両側板部２０６、２０６の内面間のピッチよりやや大きくなるようにしてある。そして、図示の例にあっては、ベース２０の背側側板部２０５ａに隣り合う両側板部２０６、２０６の後部上隅部にそれぞれ貫通状態に設けられた軸穴２０７に対し、ロック体２１を前記開放部２０６を通じてこのロック体２１の背面、つまり、ブロック部２１２の背面２１２ｄ側を先にして入れ込ませることにより、この側板部２０６の内面に細径円柱体２１３ｂの突き出し端面を押し当てさせて一対の板状アームの斜上板部分２１１ｂ間のピッチをやや狭める向きにこの斜上板部分２１１ｂを一旦弾性的に撓み込ませた後の、この細径円柱体２１３ｂが前記軸穴２０７に入り込むロック体２１の入れ込み位置における弾発によって、この軸穴２０７に細径円柱体２１３ｂを入れ込ませ、これにより、ベース２０にロック体２１の上端部を回動可能に組み付けさせるようにしている。
【００４０】
また、前記ベース２０には、このようにベース２０に回動可能に組み合わされたロック体２１の雌ねじ状部２１２ａを前記通し抜け穴２０２に差し通される脚軸１の外周面に押しつけるように、このロック体２１の背面、つまり、前記ブロック部２１２の背面２１２ｄ側に接する弾性片２０８が一体に備えられている。
【００４１】
図示の例にあっては、かかる弾性片２０８は、背側側板部２０５ａの左右方向ほぼ中程の位置において、上下方向に延びる一対の縦割溝２０８ａ、２０８ａとこの一対の縦割溝２０８ａ、２０８ａの溝上端間に亘る横割溝２０８ｂとによって区分されたかかる背側側板部２０５ａの一部によって構成されている。そして、図示の例にあっては、この弾性片２０８の上端側の内面がロック体２１のベース２０の接触突部２１２ｅに常時接するようになっている。
【００４２】
具体的には、かかる弾性片２０８と接触突部２１２ｅとの接触によって、ロック体２１の雌ねじ状部２１２ａが脚軸１の外周面位置に位置づけられるようになっている。
【００４３】
これにより、支持対象物Ｐを高さ調整可能に支持することができるようになっている。すなわち、ロック体２１を弾性片２０８を外向きに弾性変形させて後退させながら昇降体２の通し抜け穴２０２に脚軸１を入れ込ませることにより、この入れ込み後の弾性片２０８の弾性復帰によりロック体２１を前方に押し戻してこのロック体２１の雌ねじ状部２１２ａを入れ込まされた脚軸１の雄ねじ部１２に押しつけ噛み合わさせた脚装置を構成させることができる。支持対象物Ｐにベース２０の固定部２０１によって取り付けられた脚装置は、脚軸１を回転操作させることにより、昇降体２の下面と脚軸１の接地部１０との間の寸法を変え、これにより、支持対象物Ｐの高さの微調整が可能とされる。すなわち、昇降体２は前記ロック体２１の雌ねじ状部２１２ａを脚軸１の雄ねじ部１２に噛み合わせており、脚軸１を回転させると雌ねじ状部２１２ａは脚軸１に沿っていわば相対的に螺進又は螺退され、これにより、少しづつ支持対象物Ｐの高さを変えることができる。昇降体２が下降し切った位置、および、昇降体２が上昇し切った位置において、脚軸１が誤ってさらに回転操作された場合には、この回転操作によって雌ねじ状部２１２ａを破損させないように、ロック体２１を弾性片２０８を外向きに撓み込ませながらベース２０との回動組み付け位置を中心にその下端部を後退させるように回動させることができる。
【００４４】
また、この実施の形態にあっては、前記ベース２０に、このベース２０の側部から外方に突き出された操作部２２１とベース２０内に位置される突き当たり部２２２とを有していると共に、この操作部２２１を利用した解除操作によって弾性片２０８の押し付けに抗してロック体２１の下端部を後退移動させるようにこのロック体２１に突き当たり部２２２を突き当てさせる解除位置に移動される解除体２２が備えられている。
【００４５】
図示の例にあっては、解除体２２の操作部２２１は、ベース２０における開放部２０６から外方に突き出されている。
【００４６】
これにより、この実施の形態にあっては、弾性片２０８の押し付けにより脚軸１の雄ねじ部１２に雌ねじ状部２１２ａを噛み合わせたロック体２１のロック状態を、解除体２２の解除位置への移動操作によってこのロック体２１の下端部を後退移動させて、ワンタッチで解除することができる。そして、この解除によって、昇降体２の下面からの脚軸１の突き出し量を増減させる調整、つまり、支持対象物Ｐの高さを可変させる調整を大幅になすことができる。
【００４７】
また、この実施の形態にかかる脚装置は、かかる解除体２２の解除操作による解除体２２の解除位置への移動を、この移動によって弾性変形しながら許容するこの解除体２２の押し戻し手段２３を有している。
【００４８】
これにより、この実施の形態にあっては、解除体２２の解除操作を止めた場合には、かかる押し戻し手段２３の弾性復帰によって解除位置に移動された解除体２２をこの移動前の位置に速やかに復帰させることができる。そして、この解除体２２の復帰によって、弾性片２０８によってロック体２１の下端部を再び前進移動させてこのロック体２１の雌ねじ状部２１２ａを脚軸１の雄ねじ部１２に噛み合わせることができる。すなわち、このようにしておけば、解除体２２の解除操作によって支持対象物Ｐの高さを大幅に可変させる調整をなした後、この高さが所望の高さになった位置でこの解除操作を止めることにより、この所望の高さに支持対象物Ｐを速やかに安定的に位置づけさせることができる。
【００４９】
図５〜図９は、解除体２２を、これをスライド移動させることによって、ロック体２１の下端部を後退移動させるように構成させた例を示している。
【００５０】
この例にあっては、ベース２０内において脚軸１を挟んだ一方側からロック体２１がこの脚軸１にその下端部を押し付けるようになっていると共に、
解除体２２がこの脚軸１を挟んだ他方側から一方側に向けたスライド移動可能にベース２０に組み合わされて解除位置においてその突き当たり部２２２をロック体２１に突き当てさせるスライダ体２２３として構成されている。
【００５１】
この例では、かかるスライダ体２２３は、
（１）ベース２０の下板部２０４の上面に下面を接しさせる基板２２３ａと、
（２）この基板２２３ａにおけるベース２０の開放部から外方に突き出された外縁部から上方に突き出した板状をなす操作部２２１と、
（３）基板２２３ａの外縁部に対向する側からこの外縁部側に向けて窪み込むように形成された脚軸１の通し部２２３ｃを挟んだ両側において、この基板２２３ａから前方に向けて突き出すアーム部２２３ｄとを有している。
【００５２】
そして、この例にあっては、このアーム部２２３ｄの上面よりも基板２２３ａの左右両側に形成されたリブ状隆起部２２３ｂの上面が上方に位置されるようになっており、アーム部２２３ｄの基部の上方に前方に向いた段差面状をなす突き当たり部２２２が形成されている。そして、この例にあっては、スライダ体２２３の操作部２２１を押し込み操作することにより、ベース２０内においてスライダ体２２３が解除位置まで前進され、この解除位置においてスライダ体２２３の突き当たり部２２２が脚軸１の雄ねじ部１２に雌ねじ状部２１２ａを噛み合わせたロック体２１における板状アーム部２１１の横板部分２１１ａの前端に突き当てられるようになっている。なお、一対のアーム部２２３ｄ、２２３ｄの内面間のピッチはロック体２１を構成する一対の板状アーム部２１１、２１１の横板部分２１１ａの外面間のピッチよりもやや大きくなっている。
【００５３】
また、この例にあっては、スライダ体２２３の一対のアーム部２２３ｄ、２２３ｄの先端部にそれぞれ、外向きに突き出す掛合爪２２３ｅが備えられている。この一対のアーム部２２３ｄ、２２３ｄの掛合爪２２３ｅ間のピッチは、ベース２０の両側板部２０５、２０５の内面間のピッチよりもやや大きくなっている。一方、ベース２０における側板部２０５における下部であって、この側板部２０５が背側側板部２０５ａと接し合う側には、ベース２０の前後方向（図５における左右方向）に沿って長く延びる溝状窓２０５ｂが形成されている。そして、この例では、ベース２０の開放部２０６からスライダ体２２３のアーム部２２３ｄの側を先にしてこのベース２０内にスライダ体２２３を入れ込ませることにより、スライダ体２２３の一対のアーム部２２３ｄ、２２３ｄが内向きに一旦撓み込まされると共に、このアーム部２２３ｄの掛合爪２２３ｅが溝状窓２０５ｂに入り込む位置までベース２０が入れ込まれると撓み込まされた一対のアーム部２２３ｄ、２２３ｄが弾性復帰してこの掛合爪２２３ｅを溝状窓２０５ｂに入り込ませ、スライダ体２２３はこの溝状窓２０５ｂの長さ寸法分の範囲でベース２０の前後方向にスライド移動可能な状態でこのベース２０に組み付けられるようになっている。
【００５４】
また、この例にあっては、ベース２０における背側側板部２０５ａにおける、前記弾性片２０８を挟んだ両側位置にそれぞれ、一対の縦割溝２３１ａ、２３１ａとこの一対の縦割溝２３１ａ、２３１ａの溝下端間に亘る横割溝２３１ｂとによって区分されたこの背側側板部２０５ａの一部によって形成された押し戻し片２３１が形成されている。そして、スライダ体２２３を解除位置に移動させることに伴って、このスライダ体２２３のアーム部２２３ｄの先端がこの押し戻し片２３１を押してこの押し戻し片２３１を外向きに弾性変形させるようになっている。すなわち、この例にあっては、この押し戻し片２３１が解除体２２の押し戻し手段２３として機能するようになっている。
【００５５】
また、この例にあっては、スライダ体２２３の基板２２３ａの左右両側部とアーム部２２３ｄの外面部とに、前後方向に延びるリブ２２３ｆが形成されていると共に、ベース２０の両側板部２０５、２０５の内面下部にそれぞれ、このリブ２２３ｆを納める案内溝２０５ｄが形成されている。スライダ体２２３はこの案内溝２０５ｄによってスライド移動を案内されるようになっている。すなわち、この例にあっては、かかる案内溝２０５ｄが後述する案内部２０５ｃとして機能するようになっている。
【００５６】
これにより、図５〜図９に示される例にあっては、スライダ体２２３を脚軸１を挟んだ他方側から一方側に向けて操作部２２１を利用してスライド移動させることにより、ロック体２１をワンタッチで後退移動させることができ、これにより、ロック体２１の雌ねじ状部２１２ａと脚軸１の雄ねじ部１２とのかみ合いを解かせて支持対象物Ｐの高さの大幅変更をなすことができる。
【００５７】
図１１〜図１５は、解除体２２を、これを回動させることによって、ロック体２１の下端部を後退移動させるように構成させた例を示している。
【００５８】
この例にあっては、解除体２２は、ベース２０に回動軸２２４ａをもって回動可能に組み合わされると共に、この回動軸２２４ａを挟んだ一方側に操作部２２１を他方側に突き当たり部２２２を有し、操作部２２１を持ち上げる解除操作によって解除位置においてその突き当たり部２２２をロック体２１に上方から突き当てさせる回動体２２４として構成されている。
【００５９】
この例では、かかる回動体２２４は、
（１）縦向きに板面を配した基板２２４ｃと、
（２）ベース２０の開放部２０６から外方に突き出すように前記基板２２４ｃの外面から延びる操作部２２１と、
（３）基板２２４ｃの左右両側においてそれぞれ、この基板２２４ｃの内面から前方に向けて突き出すアーム部２２４ｄとを有している。
【００６０】
この例にあっては、回動体２２４の一対のアーム部２２４ｄ、２２４ｄの間が脚軸１の通し部２２４ｅとなるようになっている。また、この例にあっては、一対のアーム部２２４ｄ、２２４ｄの基部の外面部にそれぞれ、ベース２０の両側板部２０５にそれぞれ形成された軸受穴２０５ｅに回動可能にはめ込まれる回動軸２２４ａとなる軸突部２２４ｂが形成されている。この軸受穴２０５ｅはベース２０の脚軸１を挟んだ他方側であってこのベース２０の両側板部２０５、２０５に形成されている。この例にあっては、一対のアーム部２２４ｄ、２２４ｄの軸突部２２４ｂの先端間のピッチがベース２０の両側板部２０５、２０５の内面間のピッチよりもやや大きく、ベース２０の開放部２０６から回動体２２４のアーム部２２４ｄの側を先にしてこのベース２０内に回動体２２４を入れ込ませることに伴なう回動体２２４及びベース２０の双方又はいずれか一方の弾性変形後のこの軸突部２２４ｂが軸受穴２０５ｅに入り込む位置での弾性復帰によってこの軸受穴２０５ｅに軸突部２２４ｂが回動可能に入り込み、これによりベース２０に回動体２２４が回動可能に組み付けられるようになっている。
【００６１】
そして、この例にあっては、この一対のアーム部２２４ｄ、２２４ｄの先端部にそれぞれ、他方のアーム部２２４ｄ側に向けて突き出す突起状をなす突き当たり部２２２が形成されている。そして、この例にあっては、回動体２２４の操作部２２１を持ち上げ操作することにより、ベース２０内において回動体２２４のアーム部２２４ｄが下方に、つまり、解除位置まで押し下げられ、このように押し下げられるアーム部２２４ｄの突き当たり部２２２が脚軸１の雄ねじ部１２に雌ねじ状部２１２ａを噛み合わせたロック体２１における板状アーム部２１１の横板部分２１１ａの上端に突き当てられるようになっている。なお、一対のアーム部２２４ｄ、２２４ｄの内面間のピッチはロック体２１を構成する一対の板状アーム部２１１、２１１の横板部分２１１ａの外面間のピッチよりもやや大きくなっている。
【００６２】
また、この例にあっては、回動体２２４の一対のアーム部２２４ｄ、２２４ｄにそれぞれ、このアーム部２２４ｄの基部側の下部に片上端を一体に連接させて、片下端に向かうに連れて次第に基板２２４ｃの内面から離れ出すように斜め下方に突き出す押し戻し片２３２が形成されている。そして、この例にあっては、回動体２２４を解除位置に向けて回動させることに伴って、ベース２０における下板部２０４の上面に片下端を突き当てさせているこの押し戻し片２３２が前方側を湾曲内側とするように弾性変形されるようになっている。すなわち、この例にあっては、この押し戻し片２３２が解除体２２の押し戻し手段２３として機能するようになっている。
【００６３】
これにより、図１１〜図１５に示される例にあっては、回動体２２４を、その操作部２２１を上方に持ち上げさせ、従って突き当たり部２２２を下方に押し下げさせる回動操作させることにより、ロック体２１をワンタッチで後退移動させることができ、これにより、ロック体２１の雌ねじ状部２１２ａと脚軸１の雄ねじ部１２とのかみ合いを解かせて支持対象物Ｐの高さの大幅変更をなすことができる。
【００６４】
また、この実施の形態にあっては、前記ベース２０に、
脚軸１を挟んだ他方側から一方側に向けたスライド移動可能にベース２０に組み合わされて解除位置においてその突き当たり部２２２をロック体２１に突き当てさせるスライダ体２２３として構成されている解除体２２のスライド移動を案内する案内部２０５ｃと、
かかるベース２０に回動軸２２４ａをもって回動可能に組み合わされると共に、この回動軸２２４ａを挟んだ一方側に操作部２２１を他方側に突き当たり部２２２を有し、操作部２２１を持ち上げる解除操作によって解除位置においてその突き当たり部２２２をロック体２１に上方から突き当てさせる回動体２２４として構成されている解除体２２の回動軸２２４ａの軸受穴２０５ｅとが、
それぞれ備えられている。
【００６５】
具体的には、図示の例にあっては、前記ベース２０の両側板部２０５、２０５にそれぞれ、前記案内部２０５ｃとなる案内溝２０５ｄと、前記溝状窓２０５ｂと、前記軸受穴２０５ｅとが設けられていると共に、このベース２０の背側側板部２０５ａに、前記押し戻し片２３２が設けられている。
【００６６】
これにより、この実施の形態にあっては、かかるベース２０にスライダ体２２３を組み付けることにより解除体２２をスライダ体２２３とした脚装置を構成させることができると共に、かかるベース２０に回動体２２４を組み付けることにより解除体２２を回動体２２４とした脚装置を構成させることもできる。すなわち、ベース２０を共通部品としながら、解除体２２の構成を異ならせる二種類の脚装置をそれぞれ適切に構成させることができる。
【００６７】
また、この実施の形態にあっては、前記ベース２０が、支持対象物Ｐに形成された一対の取り付け板部Ｐｂ、Ｐｂ間に、この一対の取り付け板部Ｐｂ、Ｐｂの一方に背側側板部２０５ａに隣り合う両側板部２０５、２０５の一方を接しさせ、かつ、この一対の取り付け板部Ｐｂ、Ｐｂの他方にこの両側板部２０５、２０５の他方を接しさせるようにしてこの支持対象物Ｐに組み合わされるようになっていると共に、この一対の側板部２０５、２０５にそれぞれ前記固定部２０１を形成させている。そして、この固定部２０１を、取り付け板部Ｐｂに開設された窓穴Ｐｃに、一対の取り付け板部Ｐｂ、Ｐｂ間へのベース２０の入れ込みに伴ってこの取り付け板部Ｐｂの内面に突き当てられて一旦弾性変形した後の弾発によってこの窓穴Ｐｃに入り込む掛合突部２０９としている。
【００６８】
図示の例にあっては、支持対象物Ｐに、下面を開放させた角筒状をなすボックス状ブラケット部Ｐｄが形成されている。このブラケット部Ｐｄの上部には貫通穴Ｐｅが形成されており、このブラケット部Ｐｄにベース２０を下方から入れ込ませて取り付けられる脚装置の脚軸１１がこの貫通穴Ｐｅから上方に抜け出すようになっている。そして、このブラケット部Ｐｄにおける対向位置にある一対の側板部にそれぞれ前記窓穴Ｐｃが形成されており、この側板部が前記取り付け板部Ｐｂとして機能されるようになっている。
【００６９】
また、図示の例にあっては、前記掛合突部２０９は、ベース２０における背側側板部２０５ａに隣り合う側板部２０５の左右方向ほぼ中程の位置において、上下方向に延びる一対の縦割溝２０９ａ、２０９ａとこの一対の縦割溝２０９ａ、２０９ａの溝下端間に亘る横割溝２０９ｂとによって区分されたかかる側板部２０６の一部の外面に形成されている。また、かかる掛合突部２０９は、下方に向いた掛合面２０９ｃを有すると共に、頂部を挟んだ上面をこの頂部に向かうに連れて次第に外向きに広がり出す傾斜面２０９ｄとしている。
【００７０】
この結果、図示の例にあっては、支持対象物Ｐの一対の取り付け板部Ｐｂ、Ｐｂ間、つまり、前記ブラケット部Ｐｄに下方からベース２０を入れ込むことにより、この取り付け板部Ｐｂの窓穴Ｐｃにベース２０の掛合突部２０９を掛合させてワンタッチでかかる支持対象物Ｐに脚装置を備え付けさせることができる。
【図面の簡単な説明】
【００７１】
【図１】脚装置の側面図（解除体２２取り付け前）
【図２】同使用状態を示した要部破断右側面図
【図３】脚装置の側断面図（解除体２２取り付け前）
【図４】同平断面図
【図５】脚装置の側面図（スライダ体２２３を備えた脚装置）
【図６】同側断面図
【図７】同側断面図（スライダ体２２３解除位置）
【図８】同側断面図
【図９】同平断面図
【図１０】スライダ体２２３の平面図（（ａ）図）、正面図（（ｂ）図）、および、右側面図（（ｃ）図）
【図１１】脚装置の側面図（回動体２２４を備えた脚装置）
【図１２】同側断面図
【図１３】同側断面図（回動体２２４解除位置）
【図１４】同側断面図
【図１５】同平断面図
【図１６】回動体２２４とロック体２１の平面図
【図１７】同正面図（ロック体２１断面））
【図１８】図１７におけるＡ−Ａ線位置から見た側面図
【図１９】図１７におけるＢ−Ｂ線位置から見た側面図
【符号の説明】
【００７２】
Ｐ  支持対象物
１  脚軸
１０  接地部
１２  雄ねじ部
２  昇降体
２０  ベース
２０１  固定部
２０２  通し抜け穴
２０８  弾性片
２１  ロック体
２１２ａ  雌ねじ状部
２２  解除体
２２１  操作部
２２２  突き当たり部
【図１】
2006064133.tif 000003
【図２】
2006064133.tif 000004
【図３】
2006064133.tif 000005
【図４】
2006064133.tif 000006
【図５】
2006064133.tif 000007
【図６】
2006064133.tif 000008
【図７】
2006064133.tif 000009
【図８】
2006064133.tif 000010
【図９】
2006064133.tif 000011
【図１０】
2006064133.tif 000012
【図１１】
2006064133.tif 000013
【図１２】
2006064133.tif 000014
【図１３】
2006064133.tif 000015
【図１４】
2006064133.tif 000016
【図１５】
2006064133.tif 000017
【図１６】
2006064133.tif 000018
【図１７】
2006064133.tif 000019
【図１８】
2006064133.tif 000020
【図１９】
2006064133.tif 000021